【手続補正書】
【提出日】平成28年2月15日(2016.2.15)
【手続補正１】
【補正対象書類名】特許請求の範囲
【補正対象項目名】全文
【補正方法】変更
【補正の内容】
【特許請求の範囲】
【請求項１】
第１の無線アクセス技術（ＲＡＴ）ネットワークに接続されている間、第２のＲＡＴネットワークにおいて測定が行われる状態に入ることと、
少なくとも第１の条件が満たされたとき、前記第２のＲＡＴネットワークにおいて行われる測定のレートを選択的に増加させることであって、整数乗数と、前記第１のＲＡＴネットワークのために定義されたＤＲＸサイクルの周波数との積として計算される、前記第２のＲＡＴネットワークにおける測定の前記レートを所定の最大レートに設定することを備える、選択的に増加させることと、
少なくとも第２の条件が満たされたとき、前記第２のＲＡＴネットワークにおいて行われる測定の前記レートを選択的に低減することと
を備える、ユーザ機器（ＵＥ）によって行われるワイヤレス通信の方法。
【請求項２】
前記第２のＲＡＴネットワークにおいて行われる測定の前記レートを低減することが、前記第２のＲＡＴネットワークにおいて行われる測定の前記レートを測定の最小レートに設定することを備える、請求項１に記載の方法。
【請求項３】
測定の前記最小レートが、前記第１のＲＡＴネットワークのために構成された非連続受信（ＤＲＸ）サイクルに関連する周波数に対応する、請求項２に記載の方法。
【請求項４】
測定の前記最小レートが、前記第１のＲＡＴネットワークのために構成されたＤＲＸサイクルに関連する周波数の整数倍に対応する、請求項２に記載の方法。
【請求項５】
前記状態がアイドル状態を備える、請求項１に記載の方法。
【請求項６】
前記第２のＲＡＴネットワークにおいて測定の前記レートを低減することが、前記整数乗数を低減することを備える、請求項１に記載の方法。
【請求項７】
前記第２の条件は、前記第２のＲＡＴネットワークにおける測定されたサービス品質が、予め定義されたしきい値を下回ることに関する、請求項１に記載の方法。
【請求項８】
前記第１のＲＡＴネットワークと前記第２のＲＡＴネットワークとの優先度が定義され、前記第２のＲＡＴネットワークが前記第１のＲＡＴネットワークよりも高い優先度を有する、請求項１に記載の方法。
【請求項９】
前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、請求項１に記載の方法。
【請求項１０】
前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、請求項１に記載の方法。
【請求項１１】
前記第１の条件と前記第２の条件とのうちの少なくとも１つが前記ＵＥのバッテリー電力に関する、請求項１に記載の方法。
【請求項１２】
前記第１の条件と前記第２の条件とのうちの少なくとも１つが時刻に関する、請求項１に記載の方法。
【請求項１３】
前記第１の条件と前記第２の条件とのうちの少なくとも１つが、前記第１のＲＡＴネットワークと前記第２のＲＡＴネットワークとのうちの少なくとも１つの負荷に関する、請求項１に記載の方法。
【請求項１４】
第１のＲＡＴネットワークに接続されている間、第２の無線アクセス技術（ＲＡＴ）ネットワークにおいて測定が行われる状態に入るための手段と、
少なくとも第１の条件が満たされたとき、前記第２のＲＡＴネットワークにおいて行われる測定のレートを選択的に増加させるための手段であって、整数乗数と、前記第１のＲＡＴネットワークのために定義されたＤＲＸサイクルの周波数との積として計算される、前記第２のＲＡＴネットワークにおける測定の前記レートを所定の最大レートに設定するための手段を備える、選択的に増加させるための手段と、
少なくとも第２の条件が満たされたとき、前記第２のＲＡＴネットワークにおいて行われる測定の前記レートを低減するための手段と
を備える、ユーザ機器（ＵＥ）によるワイヤレス通信のための装置。
【請求項１５】
プログラムコードを記憶したコンピュータ可読媒体を備える、ワイヤレス通信のためのコンピュータプログラム製品であって、前記プログラムコードは、実行されると、少なくとも１つのコンピュータに、請求項１から１３のうちの１つに記載の方法を行わせる、コンピュータプログラム製品。
【手続補正２】
【補正対象書類名】明細書
【補正対象項目名】００９９
【補正方法】変更
【補正の内容】
【００９９】
[0110]  以上の説明は、本明細書で説明した様々な態様を当業者が実施できるように与えたものである。これら態様に対する様々な変更は当業者には容易に明らかであり、本明細書で定義した一般的原理は他の態様に適用され得る。従って、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素の全ての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
[Ｃ１]  第１の無線アクセス技術（ＲＡＴ）ネットワークに接続されている間、第２のＲＡＴネットワークにおいて測定が行われる状態に入ることと、
少なくとも第１の条件が満たされたとき、前記第２のＲＡＴネットワークにおいて行われる測定のレートを選択的に増加させることと、
少なくとも第２の条件が満たされたとき、前記第２のＲＡＴネットワークにおいて行われる測定の前記レートを選択的に低減することと
を備える、ユーザ機器（ＵＥ）によって行われるワイヤレス通信の方法。
[Ｃ２]  前記第２のＲＡＴネットワークにおいて行われる測定の前記レートを低減することが、前記第２のＲＡＴネットワークにおいて行われる測定の前記レートを測定の最小レートに設定することを備える、Ｃ１に記載の方法。
[Ｃ３]  測定の前記最小レートが、前記第１のＲＡＴネットワークのために構成された非連続受信（ＤＲＸ）サイクルに関連する周波数に対応する、Ｃ２に記載の方法。
[Ｃ４]  測定の前記最小レートが、前記第１のＲＡＴネットワークのために構成されたＤＲＸサイクルに関連する周波数の整数倍に対応する、Ｃ２に記載の方法。
[Ｃ５]  前記状態がアイドル状態を備える、Ｃ１に記載の方法。
[Ｃ６]  前記第２のＲＡＴネットワークにおいて測定の前記レートを増加させることが、前記第２のＲＡＴネットワークにおける測定の前記レートを所定の最大レートに設定することを備える、Ｃ１に記載の方法。
[Ｃ７]  前記所定の最大レートが、整数乗数と、前記第１のＲＡＴネットワークのために定義されたＤＲＸサイクルの周波数との積として計算される、Ｃ６に記載の方法。
[Ｃ８]  前記第２のＲＡＴネットワークにおいて測定の前記レートを低減することが、前記整数乗数を低減することを備える、Ｃ７に記載の方法。
[Ｃ９]  前記第２の条件は、前記第２のＲＡＴネットワークにおける測定されたサービス品質が、予め定義されたしきい値を下回ることに関する、Ｃ１に記載の方法。
[Ｃ１０]  前記第１のＲＡＴネットワークと前記第２のＲＡＴネットワークとの優先度が定義され、前記第２のＲＡＴネットワークが前記第１のＲＡＴネットワークよりも高い優先度を有する、Ｃ１に記載の方法。
[Ｃ１１]  前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、Ｃ１に記載の方法。
[Ｃ１２]  前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、Ｃ１に記載の方法。
[Ｃ１３]  前記第１の条件と前記第２の条件とのうちの少なくとも１つが前記ＵＥのバッテリー電力に関する、Ｃ１に記載の方法。
[Ｃ１４]  前記第１の条件と前記第２の条件とのうちの少なくとも１つが時刻に関する、Ｃ１に記載の方法。
[Ｃ１５]  前記第１の条件と前記第２の条件とのうちの少なくとも１つが、前記第１のＲＡＴネットワークと前記第２のＲＡＴネットワークとのうちの少なくとも１つの負荷に関する、Ｃ１に記載の方法。
[Ｃ１６]  第１のＲＡＴネットワークに接続されている間、第２の無線アクセス技術（ＲＡＴ）ネットワークにおいて測定が行われる状態に入るための手段と、
少なくとも第１の条件が満たされたとき、前記第２のＲＡＴネットワークにおいて行われる測定のレートを選択的に増加させるための手段と、
少なくとも第２の条件が満たされたとき、前記第２のＲＡＴネットワークにおいて行われる測定の前記レートを低減するための手段と
を備える、ユーザ機器（ＵＥ）によるワイヤレス通信のための装置。
[Ｃ１７]  前記第２のＲＡＴネットワークにおいて行われる測定の前記レートを低減するための前記手段が、前記第２のＲＡＴネットワークにおいて行われる測定の前記レートを測定の最小レートに設定するための手段を備える、Ｃ１６に記載の装置。
[Ｃ１８]  測定の前記最小レートが、前記第１のＲＡＴネットワークのために構成された非連続受信（ＤＲＸ）サイクルに関連する周波数に対応する、Ｃ１７に記載の装置。
[Ｃ１９]  測定の前記最小レートが、前記第１のＲＡＴネットワークのために構成されたＤＲＸサイクルに関連する周波数の整数倍に対応する、Ｃ１７に記載の装置。
[Ｃ２０]  前記状態がアイドル状態を備える、Ｃ１６に記載の装置。
[Ｃ２１]  前記第２のＲＡＴネットワークにおいて測定の前記レートを選択的に増加させるための前記手段が、前記第２のＲＡＴネットワークにおける測定の前記レートを所定の最大レートに設定するための手段を備える、Ｃ１６に記載の装置。
[Ｃ２２]  前記所定の最大レートが、整数乗数と、前記第１のＲＡＴネットワークのために定義されたＤＲＸサイクルの周波数との積として計算される、Ｃ２１に記載の装置。
[Ｃ２３]  前記第２のＲＡＴネットワークにおいて測定の前記レートを低減するための前記手段が、前記整数乗数を低減するための手段を備える、Ｃ２２に記載の装置。
[Ｃ２４]  前記第２の条件は、前記第２のＲＡＴネットワークにおける測定されたサービス品質が、予め定義されたしきい値を下回ることに関する、Ｃ１６に記載の装置。
[Ｃ２５]  前記第１のＲＡＴネットワークと前記第２のＲＡＴネットワークとの優先度が定義され、前記第２のＲＡＴネットワークが前記第１のＲＡＴネットワークよりも高い優先度を有する、Ｃ１６に記載の装置。
[Ｃ２６]  前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、Ｃ１６に記載の装置。
[Ｃ２７]  前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、Ｃ１６に記載の装置。
[Ｃ２８]  前記第１の条件と前記第２の条件とのうちの少なくとも１つが前記ＵＥのバッテリー電力に関する、Ｃ１６に記載の装置。
[Ｃ２９]  前記第１の条件と前記第２の条件とのうちの少なくとも１つが時刻に関する、Ｃ１６に記載の装置。
[Ｃ３０]  前記第１の条件と前記第２の条件とのうちの少なくとも１つが、前記第１のＲＡＴネットワークと前記第２のＲＡＴネットワークとのうちの少なくとも１つの負荷に関する、Ｃ１６に記載の装置。
[Ｃ３１]  第１のＲＡＴネットワークに接続されている間、第２の無線アクセス技術（ＲＡＴ）ネットワークにおいて測定が行われる状態に入ることと、少なくとも第１の条件が満たされたとき、前記第２のＲＡＴネットワークにおいて行われる測定のレートを選択的に増加させることと、少なくとも第２の条件が満たされたとき、前記第２のＲＡＴネットワークにおいて行われる測定の前記レートを選択的に低減することとを行うように構成された少なくとも１つのプロセッサと、
前記少なくとも１つのプロセッサに結合されたメモリと
を備える、ユーザ機器（ＵＥ）によるワイヤレス通信のための装置。
[Ｃ３２]  前記少なくとも１つのプロセッサが、前記第２のＲＡＴネットワークにおいて行われる測定の前記レートを測定の最小レートに設定することによって、前記第２のＲＡＴネットワークにおいて行われる測定の前記レートを低減するように構成された、Ｃ３１に記載の装置。
[Ｃ３３]
測定の前記最小レートが、前記第１のＲＡＴネットワークのために構成された非連続受信（ＤＲＸ）サイクルに関連する周波数に対応する、Ｃ３２に記載の装置。
[Ｃ３４]  測定の前記最小レートが、前記第１のＲＡＴネットワークのために構成されたＤＲＸサイクルに関連する周波数の整数倍に対応する、Ｃ３２に記載の装置。
[Ｃ３５]  前記状態がアイドル状態を備える、Ｃ３１に記載の装置。
[Ｃ３６]  前記少なくとも１つのプロセッサが、前記第２のＲＡＴネットワークにおける測定の前記レートを所定の最大レートに設定することによって、前記第２のＲＡＴネットワークにおいて測定の前記レートを増加させるように構成された、Ｃ３１に記載の装置。
[Ｃ３７]  前記少なくとも１つのプロセッサが、前記所定の最大レートを、整数乗数と、前記第１のＲＡＴネットワークのために定義されたＤＲＸサイクルの周波数との積として計算するように構成された、Ｃ３６に記載の装置。
[Ｃ３８]  前記少なくとも１つのプロセッサが、前記整数乗数を低減することによって、前記第２のＲＡＴネットワークにおいて測定の前記レートを低減するように構成された、Ｃ３７に記載の装置。
[Ｃ３９]  前記第２の条件は、前記第２のＲＡＴネットワークにおける測定されたサービス品質が、予め定義されたしきい値を下回ることに関する、Ｃ３１に記載の装置。
[Ｃ４０]  前記第１のＲＡＴネットワークと前記第２のＲＡＴネットワークとの優先度が定義され、前記第２のＲＡＴネットワークが前記第１のＲＡＴネットワークよりも高い優先度を有する、Ｃ３１に記載の装置。
[Ｃ４１]  前記第１のＲＡＴネットワークにおいて送信されるシステム情報ブロックが、前記第２のＲＡＴネットワークにおける測定の増加されたレートまたは減少されたレートのうちの少なくとも１つを判断するために使用されるＤＲＸサイクルの周波数を定義する、Ｃ３１に記載の装置。
[Ｃ４２]  前記第１の条件と前記第２の条件とのうちの少なくとも１つは、前記第２のＲＡＴネットワークにおける基準シンボル受信電力、キャリア受信信号強度インジケータ、または基準信号受信品質のうちの少なくとも１つがしきい値を超えることに関する、Ｃ３１に記載の装置。
[Ｃ４３]  前記第１の条件と前記第２の条件とのうちの少なくとも１つが前記ＵＥのバッテリー電力に関する、Ｃ３１に記載の装置。
[Ｃ４４]  前記第１の条件と前記第２の条件とのうちの少なくとも１つが時刻に関する、Ｃ３１に記載の装置。
[Ｃ４５]  前記第１の条件と前記第２の条件とのうちの少なくとも１つが、前記第１のＲＡＴネットワークと前記第２のＲＡＴネットワークとのうちの少なくとも１つの負荷に関する、Ｃ３１に記載の装置。
[Ｃ４６]  命令を格納した非一時的コンピュータ可読媒体を備える、ユーザ機器（ＵＥ）によるワイヤレス通信のためのコンピュータプログラム製品であって、前記命令は、
第１の無線アクセス技術（ＲＡＴ）ネットワークに接続されている間、第２のＲＡＴネットワークにおいて測定が行われる状態に入ることと、
少なくとも第１の条件が満たされたとき、前記第２のＲＡＴネットワークにおいて行われる測定のレートを選択的に増加させることと、
少なくとも第２の条件が満たされたとき、前記第２のＲＡＴネットワークにおいて行われる測定の前記レートを選択的に低減することと
を行うために１つまたは複数のプロセッサによって実行可能である、コンピュータプログラム製品。